(57)【特許請求の範囲】
【請求項１】
フレームの下部に設けられた駆動プーリと上部に設けられた上部プーリとの間に無端ベルトからなる搬送ベルトを掛け渡すとともに、その掛け渡された搬送ベルトにテンション機構により所定の張力を加え、その張力の加えられた搬送ベルトの上昇動の途中、パチンコ玉を玉磨き布により磨きながら上方へ搬送する玉磨き揚送装置において、
前記テンション機構は、
前記搬送ベルトが降下動する側のフレームからその搬送ベルトを挾むように突出し、先端に前記フレーム側に開口する切欠孔からなる軸受部を備えた一対の支持フレームと、
前記搬送ベルトの搬送面と平行で、かつ、その搬送ベルトの搬送方向と直交する方向に伸びる第１の支軸の両端を前記軸受部に着脱自在に支持させた枠体と、
前記枠体に設けられた第１の支軸と所定の間隔を保ち、かつ、その支軸と同方向に伸びる第２の支軸を介してその枠体に設けられたテンションプーリと、からなり、
前記枠体を第１の支軸を支点として前記フレーム側にほぼ水平状態になるまで回動したとき、前記テンションプーリが前記搬送ベルトに与える押圧力の反力により前記枠体に第１の支軸を中心として前記搬送ベルトの回転方向と同方向の回転力が生じ、その回転力により前記枠体を前記支持フレームに対して安定的に固定する、
ことを特徴とする玉磨き揚送装置。
【発明の詳細な説明】
【０００１】
【発明の属する技術分野】
本発明は、パチンコ玉の玉磨き揚送装置に係り、特に、搬送ベルトに張力を加えるテンション機構を独立機構化したものに関する。
【０００２】
【従来の技術】
従来、この種の玉磨き揚送装置は、垂直状に伸びるフレームの下部に設けられたモータ内蔵の駆動プーリと、そのフレームの上部に設けられた上部プーリとの間に無端ベルトからなる搬送ベルトを張設し、その搬送ベルトの上昇動する搬送側に玉磨き用布を対設して構成されている（例えば、特開平１０−５４３４号公報等）。
【０００３】
上記搬送ベルトは、駆動プーリの回転力が効果的に伝達できるように、テンションプーリ（テンションローラ）を用いて所定の張力（テンション）が加えられるように構成されている。すなわち、搬送ベルトの降下動する側をテンションプーリで押圧してその搬送ベルトに所定の張力を加えるように構成されている。
【０００４】
【発明が解決しようとする課題】
しかしながら、上記従来の玉磨き揚送装置において、テンションプーリは、フレームに一体的に組込まれた構造を呈しているため、例えば、搬送ベルトの交換のときなどは、ねじやボルトあるいはナットを外してフレームからテンションプーリを外し、また、その外したテンションプーリを組み立てなければならないという面倒があった。
【０００５】
そこで、本発明は、上記欠点を解決するためになされたものであって、その目的は、テンションプーリを支持するテンション機構を独立機構にするとともに、例えば、搬送ベルトの交換等において、テンションプーリを取外す必要があるときは、いわゆるワンタッチで取外し、また、ワンタッチで取付けることのできる玉磨き揚送装置を提供することにある。
【０００６】
【課題を解決するための手段】
本発明に係る玉磨き揚送装置は、上記目的を達成するために、フレームの下部に設けられた駆動プーリと上部に設けられた上部プーリとの間に無端ベルトからなる搬送ベルトを掛け渡すとともに、その掛け渡された搬送ベルトにテンション機構により所定の張力を加え、その張力の加えられた搬送ベルトの上昇動の途中、パチンコ玉を玉磨き布により磨きながら上方へ搬送する玉磨き揚送装置において、前記テンション機構は、前記搬送ベルトが降下動する側のフレームからその搬送ベルトを挾むように突出し、先端に前記フレーム側に開口する切欠孔からなる軸受部を備えた一対の支持フレームと、前記搬送ベルトの搬送面と平行で、かつ、その搬送ベルトの搬送方向と直交する方向に伸びる第１の支軸の両端を前記軸受部に着脱自在に支持させた枠体と、前記枠体に設けられた第１の支軸と所定の間隔を保ち、かつ、その支軸と同方向に伸びる第２の支軸を介してその枠体に設けられたテンションプーリと、からなり、前記枠体を第１の支軸を支点として前記フレーム側にほぼ水平状態になるまで回動したとき、前記テンションプーリが前記搬送ベルトに与える押圧力の反力により前記枠体に第１の支軸を中心として前記搬送ベルトの回転方向と同方向の回転力が生じ、その回転力により前記枠体を前記支持フレームに対して安定的に固定することを特徴としている。
【０００７】
【発明の実施の形態】
以下、本発明の実施の形態を図面に基づいて説明する。図１は、一実施の形態に係る玉磨き揚送装置ａの途中を一部省略した側面図である。
【０００８】
先ず、玉磨き揚送装置ａ全体の構成から説明すると、この玉磨き揚送装置ａは、ベース（基台）１から垂直状に伸びるフレーム２を有していて、そのフレーム２の下部には、モータ内蔵の駆動プーリＰ1 が設けられているとともに、そのフレーム２の上部には、上部プーリＰ2 が設けられている。そして、これら両プーリＰ1 ，Ｐ2 間に無端ベルトからなる搬送ベルトＢが張設されている。
【０００９】
図中、Ｐ3 は搬送ベルトＢを案内する案内プーリ、及びＰ4 は搬送ベルトＢに所定の張力を与えるテンションプーリである。このテンションプーリＰ4 は、後に詳述するテンション機構Ｔに組込まれていて、フレーム２に設けられている支持フレーム２ａ，２ｂにワンタッチで取付け及び取外しができるように構成されている。
【００１０】
搬送ベルトＢの上昇動する側のフレーム２には、すなわち、図１において、フレーム２の左側には、その上昇動する無端ベルトＢを中間に介在させて、図示しない玉磨き布を張設した上下で２分割された当板３，３が設けられている。この当板３，３は、図示しないヒンジを介して開閉自在に構成されていて、玉磨き布を定期的に交換できるように構成されている。
【００１１】
上記構成の玉磨き揚送装置ａにおいて、図１の矢印丸１に示されるように導入樋４に供給されたパチンコ玉（図示せず）は、搬送ベルトＢの正面側（図１において搬送ベルトＢの右側の面側）に供給される。そして、その供給されたパチンコ玉は、搬送ベルトＢと当板３，３に張設された玉磨き布との間を摺動される間に磨かれる。磨かれたパチンコ玉は、図１の矢印丸２に示されるように、フレーム２の上端から排出され、図示しない遊技島に設けられた各パチンコ機械に供給される。
【００１２】
さて、フレーム２の下部に設けられているテンション機構Ｔについて、図２〜図５を用いて説明する。図２は支持フレームの斜視図、図３はテンション機構の平面図、図４は同じく側面図、図５は動作説明図である。
【００１３】
テンション機構Ｔは、図２に斜視図で示される一対の支持フレーム２ａ，２ｂと、図３に平面図として示されるとともに、図４に側面図（図３の下面図に当たる）として示される枠体１１に組込まれ独立した組立体１０とから構成されている。
【００１４】
上記一対の支持フレーム２ａ，２ｂは、図１に示されるように、フレーム２の下部側で、搬送ベルトＢ側に突出して設けられているとともに、その一対の支持フレーム２ａ，２ｂは、搬送ベルトＢを中間に挾んだ状態でフレーム２に設けられている。
【００１５】
これら支持フレーム２ａ，２ｂは、図２では省略されているが、上部に案内プーリＰ3 （図１及び後述の図５参照）を軸支できるように構成されている。また、支持フレーム２ａ，２ｂの中央部分に、凹部がそれぞれ形成され、先端部分に組立体１０に設けられた後述する支軸１２を軸支する、フレーム２側が開口した軸受部５ａ，５ｂがそれぞれ設けられている。さらに、これら軸受部５ａ，５ｂに対向する側（フレーム２側）には、後述する枠体１１をほぼ水平状に保持する保持部６ａ，６ｂがそれぞれ設けられている。
【００１６】
組立体１０は、平面形状が図３に示されるように、コ字状の枠体１１を有している。すなわち、この枠体１１は、相対する側壁１１ａ，１１ｂと、それら側壁１１ａ，１１ｂの一端側を接続する連結壁１１ｃとから構成されている。そして、両側壁１１ａ，１１ｂのほぼ中央部間に支持フレーム２ａ，２ｂに設けられた軸受部５ａ，５ｂに挿入できる太さの支軸１２が設けられている。
【００１７】
軸受部５ａ，５ｂに軸支されたときの支軸１２は、搬送ベルトＢ（図１参照）の搬送面と平行で、かつ、その搬送ベルトＢの搬送方向と直交するように位置決めされている。
【００１８】
枠体１１を形成する両側壁１１ａ，１１ｂには、支軸１２を中心にした連結壁１１ｃと反対側に、それら両側壁１１ａ，１１ｂの長手方向に沿った長穴１３ａ，１３ｂが設けられていて、これら両長穴１３ａ，１３ｂ間にテンションプーリＰ4 を回転自在に軸支した支軸１４が摺動自在に設けられている。そして、その支軸１４の両側、つまりテンションプーリＰ4 の両側に位置する支軸１４には、連結壁１１ｃに一端側が固定されたねじ棒１５ａ，１５ｂがそれぞれ貫通して設けられている。
【００１９】
両ねじ棒１５ａ，１５ｂの他端側（連結壁１１ｃと反対側）は、支軸１４が逸脱しないように大径部にそれぞれ形成されているとともに、それらねじ棒１５ａ，１５ｂには、テンションプーリＰ4 を、常時、連結壁１１ｃと反対側に押圧する調整ねじ１６ａ，１６ｂ付きのコイルばね１７ａ，１７ｂがそれぞれ設けられている。
【００２０】
上記構成のテンション機構Ｔを用いた搬送ベルトＢへの張力の加え方について、図５を用いて説明する。
【００２１】
今、組立体１０がフレーム２ａ，２ｂの軸受部５ａ，５ｂから外された状態で、搬送ベルトＢが駆動プーリＰ1 、上部プーリＰ2 及び案内プーリＰ3 に掛け渡されたとする。そして、搬送ベルトＢが掛け渡された後、図５（ａ）に示されるように、テンションプーリＰ4 が上方となるようにして支軸１２が軸受部５ａ，５ｂに軸支される。
【００２２】
支軸１２が軸受部５ａ，５ｂに軸支された後、枠体１１の連結壁１１ｃが図５（ｂ）の矢印に示されるように、すなわち、反時計方向に回転させられる。そして、その回転状態がほぼ水平状態に達すると、すなわち、枠体１１の両側壁１１ａ，１１ｂの先端に設けられている係止片１１ａ′，１１ｂ′が保持部６ａ，６ｂにそれぞれ当接されると、図５（ｃ）に示されるように、テンションプーリＰ4 に加わる反作用の力の方向が支軸１２を中心にした回転力を生じさせるので、組立体１０が支持フレーム２ａ，２ｂに対して安定的に固定させられる。
【００２３】
搬送ベルトＢの最終的な張力の調整は、ねじ棒１５ａ，１５ｂに設けられた調整ねじ１６ａ，１６ｂを調整することにより行われる。
【００２４】
搬送ベルトＢの交換等により、搬送ベルトＢの張力を解除する必要があるときは、枠体１１の連結壁１１ｃを上述と反対方向に、すなわち、図５（ｂ）の矢印と反対方向（時計方向）に回転させると、枠体１１は、図５（ａ）の状態になるので、支持フレーム２ａ，２ｂから組立体を容易に外すことができる。
【００２５】
【発明の効果】
本発明に係る玉磨き揚送装置において、搬送ベルトに張力を加えるテンション機構は、搬送ベルトが降下動する側のフレームからその搬送ベルトを挾むように突出し、先端に前記フレーム側に開口する切欠孔からなる軸受部を備えた一対の支持フレームと、搬送ベルトの搬送面と平行で、かつ、その搬送ベルトの搬送方向と直交する方向に伸びる第１の支軸の両端を前記軸受部に着脱自在に支持させた枠体と、その枠体に設けられた第１の支軸と所定の間隔を保ち、かつ、その支軸と同方向に伸びる第２の支軸を介してその枠体に設けられたテンションプーリとからなり、枠体を第１の支軸を支点としてフレーム側にほぼ水平状態になるまで回動したとき、テンションプーリが搬送ベルトに与える押圧力の反力により枠体に第１の支軸を中心として搬送ベルトの回転方向と同方向の回転力が生じ、その回転力により枠体を支持フレームに対して安定的に固定するようにしたので、枠体を回転させるだけで搬送ベルトに張力を加えることができ、また、反対に回転させるだけで搬送ベルトの張力を解除することができる。しかも、枠体を支持フレームなどにボルトナットやねじなどの固着具で固着する必要がないので、テンション機構のメンテナンスを容易に行うことができる。
【図面の簡単な説明】
【図１】  本発明の一実施の形態に係る玉磨き揚送装置の途中の一部を省略した側面図である。
【図２】  支持フレームの斜視図である。
【図３】  組立体の平面図である。
【図４】  図３の下面図である。
【図５】  テンション機構の動作を説明するための説明図である。
【符号の説明】
ａ  玉磨き揚送装置
Ｐ1   駆動プーリ
Ｐ2   上部プーリ
Ｐ3   案内プーリ
Ｐ4   テンションプーリ
Ｂ  搬送ベルト
１  ベース
２  フレーム
２ａ，２ｂ  支持フレーム
Ｔ  テンション機構
１０  組立体
１１  枠体
１２  支軸
１４  支軸
【図１】
0003947638.tif 000002
【図２】
0003947638.tif 000003
【図３】
0003947638.tif 000004
【図４】
0003947638.tif 000005
【図５】
0003947638.tif 000006